(57)【要約】  【課題】送風効率および回転時の遠心力に対するブレード部の強度を確保したファンを提供する。  【解決手段】各シュラウド71，72の外周縁部に切り欠き形成した各外周穴部82，87に各ファン翼73の凸部94をそれぞれ係合する。各外周穴部82，87よりもファン12の中心側に穿設した各かしめ用穴部81，86に各ファン翼73の各かしめ爪部93を挿入してかしめ固定する。各ファン翼73を各シュラウド71，72間の中心部から外周縁部に亘って連続して位置させて中心部側から外周部全体で確実に固定でき、送風効率および回転時の遠心力に対するファン翼73の強度を確保できる。  【選択図】図１
2007009754.tif 000002
【特許請求の範囲】
【請求項１】
互いに対向する円板状の一対のプレート部と、
これら一対のプレート部の中心部から外周部へと延設され前記一対のプレート部間に取り付けられる板状のブレード部とを具備し、
前記一対のプレート部は、
外周縁部に切り欠き形成された外周穴部と、
この外周穴部よりも中心部側に穿設された穴部とを備え、
前記ブレード部は、
外周端部に突設され、前記外周穴部に係合される凸部と、
前記穴部に挿入されてかしめ固定される突設された爪部とを備えている
ことを特徴としたファン。
【請求項２】
外周穴部と凸部との係合部を少なくとも覆うようにシール加工した
ことを特徴とした請求項１記載のファン。
【請求項３】
回転する軸体を備えたモータと、
このモータの前記軸体に取り付けられた請求項１または２記載のファンと
を具備したことを特徴とした電動送風機。
【請求項４】
請求項３記載の電動送風機と、
この電動送風機を収容した掃除機本体と
を具備したことを特徴とした電気掃除機。
【発明の詳細な説明】
【技術分野】
【０００１】
本発明は、円板状の一対のプレート部と、これら一対のプレート部の中心部から外周部へと延設され一対のプレート部間に取り付けられる板状のブレード部とを備えたファン、これを有する電動送風機およびこれを備えた電気掃除機に関する。
【背景技術】
【０００２】
従来、例えば電動送風機のモータの回転軸などに取り付けられるファンは、円板状の上下一対のプレート部を備え、これらプレート部間には、中心部側から吸い込んだ空気を外周側へと整流する板状のブレード部が、中心部から外周縁部へと連続して円弧状に湾曲して取り付けられている。これらブレード部は、プレート部に略直交する方向に厚み方向を有するようにプレート部間に配設されており、一対のプレート部のそれぞれに向けて上下に爪部が突設されている。これら爪部は、一対のプレート部のそれぞれに設けられたかしめ用穴部に挿入してかしめ固定されることで、各ブレード部を一対のプレート部間に固定している。
【０００３】
このようなファンでは、モータの回転に伴い、各ブレード部に外周方向へと遠心力が作用して、この遠心力方向へとブレード部が変形するおそれがある。
【０００４】
そこで、このようなブレード部の変形を防止するために、各ブレード部の側部を突部でそれぞれ支持する構成が知られている（例えば、特許文献１参照。）。
【特許文献１】特開２００３−３３６５９８号（第３頁、図１）
【発明の開示】
【発明が解決しようとする課題】
【０００５】
ところで、近年、電動送風機は小型軽量化とともに高出力化が要求されてきており、このような要求を満たすためには、モータの回転数を増加させる、すなわちモータを高速回転させる必要がある。
【０００６】
しかしながら、上述のファンでは、プレート部の強度を考慮すると、かしめ用穴部の位置および突部の位置を最外周部よりも中心部側に位置させなければならないため、各ブレード部の最も外周部側の支持位置からこれらブレード部の外周端部までのプレート部に固定されていない自由端状の部分が長く形成されてしまう。
【０００７】
例えば、プレート部の最も外周部側に位置したかしめ用穴部の外周側の角部からプレート部の最外周部までの径方向距離を１〜２ｍｍに設定すると、ブレード部は円弧状に湾曲形成されているため、プレート部に支持されていない自由端状のブレード部の外周端部が３〜７ｍｍに亘って形成されてしまう。
【０００８】
この結果、上述のファンでは、高速回転させた際に自由端状のブレード部の外周端部に比較的大きな遠心力が作用して変形および破損するおそれがあるなど、遠心力に対するブレード部の強度を確保することが容易でないという問題点を有している。
【０００９】
一方で、各ブレード部の長さを短くしたり、各プレート部の外周縁部をブレード部の外周端部よりも外方へと延設したりして、各ブレード部の外周端部がプレート部の外周縁部よりも中心部側の位置となるようにすることも考えられるが、このように構成すると、ファンによる送風効率を確保することが容易でないという問題がある。
【００１０】
本発明は、このような点に鑑みなされたもので、送風効率および回転時の遠心力に対するブレード部の強度を確保したファン、これを有する電動送風機およびこれを備えた電気掃除機を提供することを目的とする。
【課題を解決するための手段】
【００１１】
本発明は、互いに対向する円板状の一対のプレート部と、これら一対のプレート部の中心部から外周部へと延設され前記一対のプレート部間に取り付けられる板状のブレード部とを具備し、一対のプレート部は、外周縁部に切り欠き形成された外周穴部と、この外周穴部よりも中心部側に穿設された穴部とを備え、ブレード部は、外周穴部に係合される凸部と、穴部に挿入されてかしめ固定される突設された爪部とを備えているものである。
【発明の効果】
【００１２】
本発明によれば、一対のプレート部の外周縁部に切り欠き形成した外周穴部にブレード部の凸部を係合するとともに、一対のプレート部の外周穴部よりも中心側に穿設された穴部にブレード部の爪部を挿入してかしめ固定することで、ブレード部を一対のプレート部間の中心部から外周縁部に亘って連続して位置させてこの中心部側から外周部全体で確実に固定でき、送風効率および回転時の遠心力に対するブレード部の強度を確保できる。
【発明を実施するための最良の形態】
【００１３】
以下、本発明の一実施の形態の構成を図１ないし図１１を参照して説明する。
【００１４】
図１１において、１は掃除機本体で、この掃除機本体１は、内部に収容された電動送風機２の駆動にて生じる吸気風とともに吸い込んだ塵埃を、着脱可能な図示しない集塵パックにて集塵する。
【００１５】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手元操作部５が設けられている。この手元操作部５には、掃除機本体１内の電動送風機２などを複数の駆動モードに設定する複数の設定ボタン６が設けられているとともに、掃除する際に作業者が把持する把持部７が基端側に向けて突設されている。
【００１６】
さらに、この手元操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む吸込口体としての床ブラシ９が着脱可能に連通接続されている。
【００１７】
そして、電動送風機２は、図１０に示すように、電動機としてのモータ11と、このモータ11の回転する軸体としての回転軸11aに取り付けられたファン12とを備えている。
【００１８】
なお、以下、モータ11側を後側、ファン12側を前側として説明する。
【００１９】
モータ11は、フレーム15と、このフレーム15に取り付けられたモータ本体部16とを備え、フレーム15には、一対のカーボンブラシ組立17が取り付けられている。
【００２０】
フレーム15は、略有底円筒状のフレーム本体21と、このフレーム本体21の前端の開口部22に取り付けられたブリッジ部23とを有している。
【００２１】
フレーム本体21は、軸方向の一端である後端面すなわち底面の中心部に、円筒状のモータヘッド部25が後方に突出して設けられている。また、フレーム本体21には、モータヘッド部25の前方の両側部にカーボンブラシ組立17が取り付けられる一対のブラシ部取付孔26が設けられている。さらに、フレーム本体21には、排気用の排気開口部27が開口形成されている。
【００２２】
モータヘッド部25には、回転軸11aの軸方向の一端部である後端部が圧入されて回転軸11aを回転可能に軸支するベアリング31が接着固定されている。また、このモータヘッド部25のベアリング31の後部には、ベアリング31内への粉塵などの侵入を防止する円板状のベアリングキャップ32と、ベアリング31に予圧を加えるスラストばね33とが、順次収容されている。
【００２３】
ブリッジ部23は、長手板状に形成され、フレーム本体21の前端部にこのフレーム本体21の径方向に架け渡して開口部22の一部を覆うように螺子35などにより取り付けられている。さらに、ブリッジ部23の中央部には、前側に突出した円筒状の取付凹部36が設けられ、この取付凹部36内には、回転軸11aの前端側が圧入されて回転軸11aを回転自在に軸支するベアリング37が取り付けられている。
【００２４】
モータ本体部16は、フレーム15の中心軸に沿って配置された回転軸11aと、この回転軸11aの外周面に設けられた円筒状の整流子としてのコンミュテータ41および回転子としての電機子であるアーマチュア42と、固定子としてのステータ43とを備えている。
【００２５】
回転軸11aは、軸方向の他端部である前端部が、ディフューザである整流板45に挿通され、この前端部にファン12が設けられている。
【００２６】
コンミュテータ41は、導電性を有し、ベアリング31よりも前方の回転軸11aの外周面に固定されてこの回転軸11aと一体に回転するもので、外周面にカーボンブラシ組立17の先端部が弾性的に押圧されて摺接している。
【００２７】
アーマチュア42は、コンミュテータ41と電気的に接続されるコイル47が装着されてコンミュテータ41よりも前方の回転軸11aの外周面に固定されるとともに、ステータ43の内周側に配置されている。
【００２８】
ステータ43は、平面視四角形状のステータコア49を有し、フレーム15の軸方向の中心域に開口部22に対向して配置されている。
【００２９】
ステータコア49は、鉄板が多数積層されて板状に設けられ、中心部に、アーマチュア42が挿入される略四角形状の挿入孔部51が穿設されている。すなわち、この挿入孔部51は、内周部がアーマチュア42の外周面に所定の間隙を介して対向している。また、このステータコア49の内周部には、複数の固定極すなわちＮ極およびＳ極が形成される。さらに、このステータコア49の後側には、挿入孔部51の周囲に設けられた図示しない巻線部に電気的に接続された端子金具52aを固定する端子台52が設けられている。
【００３０】
各カーボンブラシ組立17は、略角柱状のカーボンブラシ55、このカーボンブラシ55を収容するブラシホルダ56、このブラシホルダ56が取り付けられるホルダ絶縁57、カーボンブラシ55に電気的に接続された端子部58、および、カーボンブラシ55を軸方向に付勢するばね59を備え、フレーム15の中心軸方向に向けてブラシ部取付孔26，26に先端部が挿入されて例えば螺子60で固定されている。
【００３１】
カーボンブラシ55は、長手方向の一端部がブラシホルダ56からフレーム15の中心軸方向に突出してコンミュテータ41の外周面に摺接してこのコンミュテータ41と電気的に導通するとともに、長手方向の他端部がブラシホルダ56に挿入されている。
【００３２】
ブラシホルダ56は、長手方向の一端部がブラシ部取付孔26に挿入され、長手方向の他端部がフレーム15から外方に突出している。
【００３３】
ばね59は、カーボンブラシ55をコンミュテータ41の外周面に押圧するものである。
【００３４】
端子部58は、ブラシホルダ56の長手方向の他端部に突設され、家庭用商用交流電源、あるいは電池などの図示しない電源部に電気的に接続されている。
【００３５】
整流板45は、ファン12からの風を整流してモータ11側へと流すもので、モータ11とファン12との間に位置してブリッジ部23に取り付けられている。そして、この整流板45は、円板状の整流板本体64と、この整流板本体64の前面および後面にそれぞれ突設された固定翼としての複数のブレード65とを有している。
【００３６】
整流板本体64は、フレーム15の中心軸と同軸状に設けられ、回転軸11aの前端部が挿通されブリッジ部23の取付凹部36の外周側が嵌合する挿通孔67が中心部に穿設されている。
【００３７】
各ブレード65は、整流板45の中心部から外周方向に向かうように平面渦巻状に設けられ、整流板本体64の周方向に互いに離間されて、整流板本体64の外周部に連続する案内風路69がそれぞれの間に区画形成されている。これら案内風路69は、整流板本体64に穿設された図示しない流通孔により整流板45の前部であるファン12側に連通している。
【００３８】
そして、ファン12は、回転により生じる空気との摩擦により発生する熱に対して耐熱性を有し、回転の際の慣性や質量などを考慮して、例えばアルミニウム合金などにて形成され、図１および図２に示すように、プレート部としての後面シュラウド71と、この後面シュラウド71の前側に離間されて対向するプレート部としての前面シュラウド72と、これらシュラウド71，72の間に一体的に取り付けられた複数のブレード部としての板状のファン翼73とを備えた遠心ファンである。そして、このファン12は、図１０に示すように、略筒状のファンカバー74により前側が覆われている。
【００３９】
後面シュラウド71は、図３および図１０に示すように、平面視で円板状に形成され、モータ11の回転軸11aが嵌挿される丸孔状の嵌挿孔75が中心部に穿設されている。また、この後面シュラウド71には、嵌挿孔75側から外周縁部側へと、複数、例えば７つのファン翼73が円弧状に湾曲して前面シュラウド72との間に平面視で渦巻状に取り付けられている。
【００４０】
さらに、この後面シュラウド71の嵌挿孔75の周囲には、回転軸11aが挿通された円環状の平座金である後面ファンワッシャ77および前面ファンワッシャ78がそれぞれ前後に位置し、前面ファンワッシャ78の前側から締付ナット79により締め付けられることで、これらファンワッシャ77，78により前後面を挟持されている。
【００４１】
そして、この後面シュラウド71には、各ファン翼73の形状に対応する所定位置にて、穴部としての複数の後面かしめ用穴部81が、嵌挿孔75側へと順次穿設されているとともに、これらファン翼73の湾曲形状と外周縁部とが交差する位置、すなわちファン翼73の外周端側である先端側に対応する位置に、外周穴部としての後面外周穴部82がスリット状に切り欠き形成されている。
【００４２】
後面かしめ用穴部81は、例えば嵌挿孔75の近傍と、後面外周穴部82の近傍と、これらの略中間であるファン翼73の長手方向の略中間部分とのそれぞれの位置に、ファン翼73の長手方向に沿って長手状に形成された角穴であり、ファン翼73の厚み寸法と略等しい幅寸法を有している。
【００４３】
後面外周穴部82は、後面シュラウド71の外方に連通するように後面シュラウド71の外周縁に開口した角穴であり、後面かしめ用穴部81と略等しい幅寸法を有している。
【００４４】
一方、前面シュラウド72は、図４および図１０に示すように、平面視で後面シュラウド71と略等しい円形状に形成された略円板状の部材の中心部を絞り加工することで、後面シュラウド71の嵌挿孔75よりも大きい丸孔状の通風孔85が中心部に穿設されこの通風孔85の周縁部が前方へと突出した円錐台形状に形成されている。換言すれば、前面シュラウド72は、この通風孔85の周囲から、後面シュラウド71に向けて拡径されている。
【００４５】
また、前面シュラウド72には、各ファン翼73の所定位置に対応して、穴部としての複数の前面かしめ用穴部86が中心軸側へと穿設されているとともに、これらファン翼73の湾曲形状と外周縁部とが交差する位置、すなわちファン翼73の外周端側である先端側に対応する位置に、外周穴部としての前面外周穴部87がスリット状に切り欠き形成されている。
【００４６】
前面かしめ用穴部86は、後面シュラウド71の後面かしめ用穴部81と同様の形状に形成されている。すなわち、前面かしめ用穴部86は、例えば通風孔85の周囲と、前面外周穴部87の近傍と、これらの略中間であるファン翼73の長手方向の略中間部分とのそれぞれの位置に、ファン翼73の長手方向に沿って長手状に形成された角穴であり、ファン翼73の厚み寸法と略等しい幅寸法を有している。したがって、前面かしめ用穴部86と後面かしめ用穴部81とは、前後方向に互いに対応する位置、すなわち平面視で互いに重なる位置に設けられている。
【００４７】
同様に、前面外周穴部87は、後面外周穴部82と同様の形状に形成されている。すなわち、前面外周穴部87は、前面シュラウド72の外方に連通するように前面シュラウド72の外周縁に開口した角穴であり、前面かしめ用穴部86と略等しい幅寸法を有している。そして、前面外周穴部87と後面外周穴部82とは、前後方向に互いに対応する位置、すなわち平面視で互いに重なる位置に設けられている。
【００４８】
各ファン翼73は、図５ないし図７および図１０に示すように、平面視で通風孔85の周縁部近傍からファン12の外周方向に向かうように渦巻状に設けられている。換言すれば、これらファン翼73は、ファン12の平面視での中心を通る仮想線に対してファン12の周方向に円弧状に湾曲してそれぞれ形成されている。また、これらファン翼73は、各シュラウド71，72に対して略垂直な方向に厚み方向を有する壁状に形成され、前部が前面シュラウド72の後面に、後部が後面シュラウド71の前面にそれぞれ密着し、これらファン翼73の間および各シュラウド71，72間に複数の吸気風路91を区画形成している。
【００４９】
さらに、これらファン翼73は、ファン12の中心側に位置する一端部の前部が、前面シュラウド72の通風孔85の内縁部に沿って位置したファン翼内縁部92となっている。また、これらファン翼73の前後側には、ファン翼内縁部92の近傍、長手方向の略中央部、および、ファン12の外周側に位置する他端部近傍のそれぞれの位置にて、各かしめ用穴部86，81のそれぞれに挿入されてかしめ変形される爪部としてのかしめ爪部93がそれぞれ突設されている。さらに、これらファン翼73の他端部の前後側には、各外周穴部87，82に係合される凸部94がそれぞれ突設されている。そして、これらファン翼73の他端面は、各シュラウド71，72の外周縁部に沿って傾斜した傾斜面95となっている。
【００５０】
各かしめ爪部93は、ファン翼73の長手方向に沿って長手状に形成され、この長手方向の中央部に、図１に示すように、凹状の凹面部96が形成されていることにより、長手方向の両端部に、かしめ突出部97，97がそれぞれ突出している。また、これらかしめ爪部93は、図８および図９に示すように、かしめ変形時には、それぞれ後面シュラウド71の後面および前面シュラウド72の前面に沿ってかしめ突出部97，97のそれぞれが両側方向に潰れるように変形してかしめ抜止部98となり、ファン翼73を各シュラウド71，72に一体的に固定可能となっている。
【００５１】
図１に戻って、凹面部96は、かしめ爪部93を各かしめ用穴部86，81のそれぞれに挿入した状態で、後面シュラウド71の後面および前面シュラウド72の前面と略面一なるように形成されている。したがって、これら凹面部96は、各ファン翼73に対して、各シュラウド71，72の厚み寸法と略等しい前後方向への突出量を有している。
【００５２】
ここで、各かしめ爪部93を設ける個数が増加すると、ファン翼73の各シュラウド71，72への固定強度が増加する一方で、これらかしめ爪部93に対応して各かしめ用穴部81，86が穿設される各シュラウド71，72の強度が低下するため、これらファン翼73の固定強度と各シュラウド71，72の強度などとのバランスを考慮して、各かしめ用穴部81，86およびかしめ爪部93を設ける個数および位置などを適宜設定する。
【００５３】
また、各かしめ突出部97，97は、かしめ爪部93をかしめ加工した際に潰れて変形することで、偏平状のかしめ抜止部98となっている。これらかしめ抜止部98は、後面かしめ用穴部81よりも後側および前面かしめ用穴部86よりも前側のそれぞれにて、これらかしめ用穴部81，86よりも平面視で大きい四角形状に形成されている。
【００５４】
各凸部94は、図１および図２に示すように、ファン翼73の最外周端に位置し、このファン翼73の外周端部と面一となっている。また、これら凸部94は、ファン翼73に対して各かしめ爪部93の凹面部96と略等しい突出寸法に形成されている。すなわち、各凸部94は、各かしめ爪部93のかしめ突出部97よりも突出寸法が小さい。そして、これら凸部94は、各外周穴部87，82に係合させた状態で、前面が前面シュラウド72の前面と、後面が後面シュラウド71の後面と、それぞれ略面一となっている。
【００５５】
ここで、各凸部94と各外周穴部82，87との嵌め合い関係は、中間嵌め以上となることが望ましい。
【００５６】
また、傾斜面95は、各ファン翼73を各シュラウド71，72間に一体的に固定した状態で、これらシュラウド71，72の外周縁部と略面一となっている。
【００５７】
さらに、ファン12は、各凸部94と各外周穴部82，87との係合部を少なくとも覆うようにシール加工されている。このシール加工は、例えば紙管、あるいは合成樹脂などの塗装／接着やコーティングにより形成され、このシール加工により、各凸部94と各外周穴部82，87との係合部に生じる隙間が閉塞されている。
【００５８】
そして、ファンカバー74は、図１０に示すように、フレーム本体21の開口部22の周縁に設けられたフランジ部99に後端部が嵌合されている。また、このファンカバー74は、前面の中心部に、ファン12の通風孔85に連通する丸孔状の吸込口101が開口形成されている。
【００５９】
次に、上記一実施の形態の作用を説明する。
【００６０】
ファン12の組み立ての際には、前面シュラウド72と後面シュラウド71との各かしめ用穴部81，86のそれぞれに各ファン翼73の各かしめ爪部93を順次挿入するとともに、各外周穴部82，87のそれぞれに凸部94を係合させ、各かしめ用穴部81，86から突出した各かしめ突出部97，97をかしめ変形させてかしめ抜止部98を形成し、各シュラウド71，72に対して各ファン翼73が渦巻状となるように一体的に固定し、各凸部94と各外周穴部82，87との係合部を少なくとも覆うようにシール加工を施して、ファン12を完成する。
【００６１】
また、フレーム15に収容されたモータ本体部16の回転軸11aの先端に整流板45を取り付けた後、後面ファンワッシャ77、完成したファン12および前面ファンワッシャ78を順次回転軸11aの先端に取り付け、締付ナット79により前側から締め付けることで、ファン12を回転軸11aに固定し、さらにファンカバー74を取り付けることで電動送風機２を完成して、この電動送風機２を掃除機本体１内に組み付けて各種配線を施すことで、電気掃除機を完成する。
【００６２】
掃除に際しては、掃除機本体１内に紙パックを装着し、本体吸込口３にホース体４、延長管８および床ブラシ９を順次連通接続して、電源コードを引き出して図示しないコンセントに接続し、手元操作部５の把持部７を把持して、所定の設定ボタン６を操作し、電動送風機２を所定の動作モードで動作させ、床ブラシ９の先端側から掃除機本体１の排気孔へと空気の流れを形成する。
【００６３】
すなわち、電動送風機２は、端子部58へと給電されることでモータ11が駆動し、回転軸11aがファン12などと一体に回転すると、このファン12の回転により生じる負圧によりファンカバー74の吸込口101から電動送風機２内へと空気が吸い込まれる。この吸い込まれた空気は、通風孔85を介してファン12の吸気風路91に流入した後、ファン翼73に沿ってファン12の外周方向へと吹き出される。
【００６４】
このファン12から吹き出された空気は、整流板45の流通孔から案内風路69へと流れ込み、整流板45のディフューザ効果によりブレード65に沿って整流されて静圧化され、モータ11側へと吹き出された後、ステータ43の外周面に沿って流れてこのステータ43を冷却するとともに、カーボンブラシ組立17のカーボンブラシ55を冷却しつつ、排気開口部27から電動送風機２の外部へと排気される。
【００６５】
そして、作業者は、床ブラシ９を床面上に接地させて前後に走行させて床面上の塵埃を空気とともに床ブラシ９の先端側から吸い込む。
【００６６】
この塵埃とともに吸い込まれた空気は、吸込風となり、延長管８、ホース体４および本体吸込口３を順次経由し、紙パックに吸い込まれ、この紙パックを通過する際に、塵埃が捕集される。
【００６７】
そして、塵埃が捕集された吸込風は、電動送風機２に吸い込まれた後、排気風となり、図示しない排気孔から掃除機本体１の外部へと排気される。
【００６８】
上述したように、上記一実施の形態では、各シュラウド71，72の外周縁部に切り欠き形成した各外周穴部82，87に各ファン翼73の凸部94をそれぞれ係合するとともに、各外周穴部82，87よりもファン12の中心側に穿設された各かしめ用穴部81，86に各ファン翼73の各かしめ爪部93を挿入してかしめ固定することで、ファン12の中心部側から外周部全体で固定する構成とした。
【００６９】
すなわち、ファン翼73の外周端部を、各外周穴部82，87と凸部94との係合により支持することで、特にファン12の回転時に最も強い遠心力が加わるファン翼73の外周端部が各シュラウド71，72に固定されていない自由端状となることを防止し、ファン12の回転時の遠心力に対するファン翼73の強度を確保できる。
【００７０】
また、ファン翼73を各シュラウド71，72に対してかしめ固定する上記のようなファン12においては、各シュラウド71，72の強度を考慮すると、かしめ爪部を挿入してかしめ変形するかしめ用穴部を各シュラウド71，72の外周縁部に設けることが容易でないから、各外周穴部82，87を外周縁部に切り欠き形成してファン翼73の凸部94を係合させることで、各シュラウド71，72の強度が必要以上に低下することもない。
【００７１】
さらに、ファン翼73がファン12の中心側から最外周縁部まで連続することにより、例えばファン翼の外周端部が各シュラウドの最外周縁部よりも中心部側の位置となるように設ける従来の場合と比較して、送風効率を確保できる。
【００７２】
そして、ファン翼73の外周端部が自由端状となる従来の場合には、ファン12の回転時の遠心力などによりファン翼73の外周端部がぶれることがあったのに対して、ファン翼73の外周端部を各シュラウド71，72に固定できるため、ファン12の回転時のファン翼73のぶれがなく、送風効率をより向上できるとともに、異音の発生なども防止できる。
【００７３】
また、各かしめ爪部93を、ファン翼73の長手方向の複数箇所に設けることで、ファン翼73を複数箇所で各シュラウド71，72に固定でき、ファン12の回転時の遠心力に対するファン翼73の強度を、より向上できる。
【００７４】
しかも、各かしめ爪部93の位置を、ファン翼73の長手方向の一端側、略中心域および他端側とすることで、各シュラウド71，72に対してファン翼73を偏りなくバランスよく固定できるので、ファン12の回転時の遠心力に対するファン翼73の強度をより確実に向上できる。
【００７５】
さらに、各凸部94と各外周穴部82，87との係合部を少なくとも覆うようにファン12をシール加工することにより、各凸部94と各外周穴部82，87との係合部の隙間などからの循環流を防止しつつ各凸部94と各外周穴部82，87との係合部などの強度をより向上できる。
【００７６】
そして、各ファン翼73の外周端部に、各シュラウド71，72の外周縁部に沿って傾斜し、各ファン翼73を各シュラウド71，72間に一体的に固定した状態でこれら外周縁部と略面一となる傾斜面95をそれぞれ設けることにより、ファン12の回転時に風切り音が発生することなどをも防止できる。
【００７７】
また、上述のファン12を備えることにより、電動送風機２はモータ11を介してファン12を高速回転させることが可能になり、小型化および高出力化が可能になり、さらにはこの電動送風機２を備える電気掃除機の小型化および高性能化が可能になる。
【００７８】
すなわち、上述のファン12のように送風効率および遠心力に対して各ファン翼73の強度を確保できるファン12を有する電動送風機２を電気掃除機に用いることで、吸込力を増大させるために電動送風機２を高速回転させた際のファン12の遠心力の増加にも効果的に対応でき、電気掃除機の信頼性を向上できる。
【００７９】
なお、上記一実施の形態において、ファン12は、回転する軸体を有する電動送風機２以外の様々な機器にも適用できる。
【００８０】
また、電気掃除機としては、キャニスタ型の電気掃除機に限らず、床ブラシ９が掃除機本体１の下面に直接形成されたアップライト型、あるいは、ハンディ型などであっても対応させて用いることができ、また、サイクロン分離式、あるいは慣性分離式などの集塵装置（集塵カップ）を用いる電気掃除機などにも対応させて用いることができる。
【図面の簡単な説明】
【００８１】
【図１】本発明の一実施の形態のファンの要部を示す分解斜視図である。
【図２】同上ファンを一部を切り欠いて示す側面図である。
【図３】同上ファンの一方のプレート部を示す平面図である。
【図４】同上ファンの他方のプレート部を示す平面図である。
【図５】同上ファンのブレード部を示す側面図である。
【図６】同上ファンの一対のプレート部へのブレード部の取り付け状態を示す斜視図である。
【図７】同上ファンの一対のプレート部へのブレード部の取り付け状態を示す側面図である。
【図８】同上ファンの一対のプレート部へのブレード部のかしめ固定状態を示す斜視図である。
【図９】同上ファンの一対のプレート部へのブレード部のかしめ固定状態を示す斜視図である。
【図１０】同上ファンを有する電動送風機を示す縦断面図である。
【図１１】同上ファンを有する電動送風機を備えた電気掃除機を示す斜視図である。
【符号の説明】
【００８２】
１    掃除機本体
２    電動送風機
11    モータ
11a   軸体としての回転軸
12    ファン
71    プレート部としての後面シュラウド
72    プレート部としての前面シュラウド
73    ブレード部としてのファン翼
81    穴部としての後面かしめ用穴部
82    外周穴部としての後面外周穴部
86    穴部としての前面かしめ用穴部
87    外周穴部としての前面外周穴部
93    爪部としてのかしめ爪部
94    凸部
【図１】
2007009754.tif 000003
【図２】
2007009754.tif 000004
【図３】
2007009754.tif 000005
【図４】
2007009754.tif 000006
【図５】
2007009754.tif 000007
【図６】
2007009754.tif 000008
【図７】
2007009754.tif 000009
【図８】
2007009754.tif 000010
【図９】
2007009754.tif 000011
【図１０】
2007009754.tif 000012
【図１１】
2007009754.tif 000013